(57)【特許請求の範囲】
【請求項１】
吸収体と、前記吸収体の肌側を覆う透液性のトップシートと、前記吸収体の非肌側を覆う透液性の第１バックシートと、前記第１バックシートの非肌側を覆う不透液性の第２バックシートとを備え、
前記トップシート及び第１バックシートの前記吸収体より幅方向外側に延在する部分に、長手方向に沿って引裂可能な引裂線が形成されるとともに、前記引裂線より幅方向外側に、前記第１バックシートと第２バックシートとを接合するための接合部が設けられていることを特徴とする吸収性物品。
【請求項２】
前記第１バックシートの非肌側面であって、前記引裂線より幅方向内側の長手方向両端部に幅方向に沿って、前記第２バックシートに対して剥離可能な粘着剤層が設けられている請求項１記載の吸収性物品。
【請求項３】
前記引裂線と重なる前記第２バックシートの長手方向両端部にそれぞれ、前記引裂線の端部が非肌側に露出するようにした切欠部が設けられている請求項１、２いずれかに記載の吸収性物品。
【請求項４】
肌側の両側部にそれぞれ、長手方向に沿って肌側に突出する立体ギャザーを形成するギャザーシートが配設され、前記ギャザーシートは、前記引裂線より幅方向外側の前記トップシートに接合されるか、前記引裂線より幅方向内側の前記トップシートに接合されている請求項１〜３いずれかに記載の吸収性物品。
【発明の詳細な説明】
【技術分野】
【０００１】
本発明は、使い捨ておむつ、失禁パンツ、おむつカバーなどのアウターの内面に装着して使用される尿取りパッド、失禁パッドなどの吸収性物品に係り、詳しくは非肌側が不透液性とされた簡易交換用としての使用態様と、非肌側が透液性とされた補助吸収用としての使用態様とを選択可能とした吸収性物品に関する。
【背景技術】
【０００２】
従来より、使い捨ておむつなどのアウターの内面に装着して使用される尿取りパッドなどのインナーパッドとして、前記簡易交換用としての使用態様と、前記補助吸収用としての使用態様の２通りの使用態様があることが知られている。前記簡易交換用としての使用態様では、頻繁に使い捨ておむつを交換する手間を軽減するとともに、おむつの購入費用を削減することなどを目的として、尿を吸収したインナーパッドのみを交換して使い捨ておむつを繰り返し使用できるように、吸収体に吸収された尿のアウター側への漏れを防止するため、インナーパッドの非肌側が不透液性のシート材で覆われている。この簡易交換用のインナーパッドは、昼間などパッドを頻繁に交換できるときに主に使用されている。
【０００３】
一方、前記補助吸収用としての使用態様では、使い捨ておむつなどのアウターの吸収能力を増大させることなどを目的として、使い捨ておむつの内面に積層して使用し、吸収体に吸収された尿が速やかに使い捨ておむつの吸収体に移行するように、インナーパッドの非肌側が透液性のシート材で覆われている。この補助吸収用のインナーパッドは、就寝時などパッドを長時間に亘って交換できないときに主に使用されている。
【０００４】
このように、前記簡易交換用としての使用態様ではアウターに尿が溢れ出ないことが要求される一方で、前記補助吸収用としての使用態様ではインナーパッド及びアウターの各吸収体の吸収性能を有効に活用するため、インナーパッドからアウター側に尿がスムーズに移行することが要求されている。このように、簡易交換用としての使用態様と補助吸収用としての使用態様とでは、相反する性能が要求されることとなる。
【０００５】
従来のインナーパッドでは、非肌側のシート材を不透液性とするか透液性とするかによって、何れか一方の機能を備えることしかできなかったため、使用者は各機能に応じたパッドを２種類用意しておかなければならなかった。
【０００６】
ところが近年では、このようなパッドにも幾多の改良が重ねられ、１つのパッドで簡易交換用としての使用態様と、補助吸収用としての使用態様とを選択可能としたものが提案されている。例えば、下記特許文献１では、内面側に液透過性のトップシートが、内部に前記トップシートを通過した液を吸収する吸収コアが、外面側に液不透過性のバックシートが設けられ、前記バックシートには、前記吸収コアを透過した液を通過させる開口部が形成されている吸収性物品が開示されている。
【０００７】
また、下記特許文献２では、液透過性のトップシートと、液不透過性のバックシートと、これら両シートの間に配置された吸収体を有する吸収性物品において、前記バックシートに線状の引裂線を形成する分離手段を具備したことにより、前記バックシートに開口部を形成することができる吸収性物品が開示されている。
【先行技術文献】
【特許文献】
【０００８】
【特許文献１】特許第３７５６０００号公報
【特許文献２】特許第４０２３００５号公報
【発明の概要】
【発明が解決しようとする課題】
【０００９】
上記特許文献１に記載の吸収性物品では、開口部が形成されたバックシートの外側に、前記開口部を塞ぐための被覆シートが粘着剤層を介して接着されているが、簡易交換用としての使用態様においては、被覆シートの接着不良などにより、吸収体に吸収された尿が開口部を通じてアウターの使い捨ておむつ側に浸出するおそれがあった。また、バックシートの開口部を塞ぐための被覆シートが余分に必要となり、資材コストや製造コストが嵩む要因となっていた。更に、前記被覆シートを取り除いてバックシートの開口部を開口させた補助吸収用としての使用態様において、インナーパッドからアウターへの尿の移行が前記開口部を通じてしか行われないため、尿がスムーズに移行できない欠点があった。
【００１０】
また、上記特許文献２に記載の吸収性物品では、バックシートに線状の引裂線を形成する分離手段として、ミシン目状の切り込み線などが挙げられているが、簡易交換用としての使用態様において、このミシン目を通じて吸収体に吸収された尿がアウターの使い捨ておむつ側に浸出するおそれがあった。また、補助吸収用としての使用態様において、インナーパッドからアウターへの尿の移行が線状の引裂線によって形成された開口部を通じてしか行われないため、尿がスムーズに移行できない欠点があった。
【００１１】
そこで本発明の主たる課題は、簡易交換用としての使用態様においてアウターへの尿の漏れ出しを防止するとともに、補助吸収用としての使用態様においてアウターに尿がスムーズに移行できるようにした吸収性物品を提供することにある。
【課題を解決するための手段】
【００１２】
上記課題を解決するために請求項１に係る本発明として、吸収体と、前記吸収体の肌側を覆う透液性のトップシートと、前記吸収体の非肌側を覆う透液性の第１バックシートと、前記第１バックシートの非肌側を覆う不透液性の第２バックシートとを備え、
前記トップシート及び第１バックシートの前記吸収体より幅方向外側に延在する部分に、長手方向に沿って引裂可能な引裂線が形成されるとともに、前記引裂線より幅方向外側に、前記第１バックシートと第２バックシートとを接合するための接合部が設けられていることを特徴とする吸収性物品が提供される。
【００１３】
上記請求項１記載の発明では、非肌側が前記不透液性の第２バックシートで覆われた状態で、使い捨ておむつなどのアウターの内面に装着して使用する簡易交換用としての使用態様と、前記引裂線でトップシート及び第１バックシートを引き裂いて、トップシート及び第１バックシートの前記引裂線より幅方向外側部分を取り除くのに伴って、この幅方向外側部分に前記接合部にて接合された第２バックシートを取り除くことにより、非肌側が前記透液性の第１バックシートで覆われた状態で、使い捨ておむつなどのアウターの内面に装着して使用する補助吸収用としての使用態様とが選択可能となっている。なお、前記引裂線とは、ミシン目、スリット、切り込み線、圧縮線などを指し、特に、タイ：カット＝１〜５ｍｍ：２〜５ｍｍのミシン目であることが好ましい。
【００１４】
前記簡易交換用としての使用態様においては、前記トップシート及び第１バックシートの吸収体より幅方向外側に延在する部分に前記引裂線が形成され、不透液性の第２バックシートには引裂線が一切設けられていないため、前記第２バックシートによって尿の漏れ出しが確実に防止できるようになる。
【００１５】
また、前記補助吸収用としての使用態様においては、前記引裂線にてトップシート及び第１バックシートの幅方向外側部分を切り離すことにより不透液性の第２バックシートが完全に取り除かれ、非肌側の全面が透液性の第１バックシートによって覆われるため、アウターへの尿の移行がスムーズになる。
【００１６】
請求項２に係る本発明として、前記第１バックシートの非肌側面であって、前記引裂線より幅方向内側の長手方向両端部に幅方向に沿って、前記第２バックシートに対して剥離可能な粘着剤層が設けられている請求項１記載の吸収性物品が提供される。
【００１７】
上記請求項２記載の発明では、前記第１バックシートの非肌側面であって、前記引裂線より幅方向内側の長手方向両端部に幅方向に沿って、前記第２バックシートに対して剥離可能な粘着剤層を設けることによって、非肌側が不透液性の第２バックシートで覆われた前記簡易交換用としての使用態様において、第１バックシートと第２バックシートとの間に隙間が形成されなくなり、尿の漏れがより確実に防止できるようになる。また、第２バックシートを取り除いた前記補助吸収用としての使用態様において、前記粘着剤層がアウターの表面に接着してズレ止めとして作用するようになる。前記剥離可能な粘着剤層を設ける範囲としては、吸収性物品の幅方向については前記引裂線よりも内側の範囲とし、吸収性物品の長手方向については長手方向端部から吸収体までの吸収体が介在しない範囲とし、塗布する粘着剤の目付としては１５〜３０ｇ／ｍ２とするのが望ましい。
【００１８】
請求項３に係る本発明として、前記引裂線と重なる前記第２バックシートの長手方向両端部にそれぞれ、前記引裂線の端部が非肌側に露出するようにした切欠部が設けられている請求項１、２いずれかに記載の吸収性物品が提供される。
【００１９】
上記請求項３記載の発明では、前記引裂線と重なる前記第２バックシートの長手方向両端部にそれぞれ、前記引裂線の端部が非肌側に露出するようにした切欠部が設けられているため、前記引裂線でトップシート及び第１バックシートを引き裂く際の最初の引き裂きが容易となる。前記切欠部は、長手方向の製品端から吸収体までの距離以下を半径とする半円又は略半円であることが望ましい。
【００２０】
請求項４に係る本発明として、肌側の両側部にそれぞれ、長手方向に沿って肌側に突出する立体ギャザーを形成するギャザーシートが配設され、前記ギャザーシートは、前記引裂線より幅方向外側の前記トップシートに接合されるか、前記引裂線より幅方向内側の前記トップシートに接合されている請求項１〜３いずれかに記載の吸収性物品が提供される。
【００２１】
上記請求項４記載の発明では、肌側の両側部にギャザーシートを配設し、このギャザーシートによって立体ギャザーを形成する場合、前記ギャザーシートとトップシートとの接合位置によって、補助吸収用としての使用態様において立体ギャザーを存在させるか否かを規定している。具体的には、ギャザーシートを引裂線より幅方向外側のトップシートに接合した場合、前記引裂線にてトップシート及び第１バックシートの幅方向外側部分を切り離すのに伴って、前記ギャザーシートも同時に取り除かれるため、補助吸収用としての使用態様において立体ギャザーが存在しない吸収性物品が得られるようになる。一方、ギャザーシートを引裂線より幅方向内側のトップシートに接合した場合、前記引裂線にてトップシート及び第１バックシートの幅方向外側部分を切り離してもギャザーシートが本体部分に残るため、補助吸収用としての使用態様において立体ギャザーが設けられた吸収性物品が得られるようになる。
【発明の効果】
【００２２】
以上詳説のとおり本発明によれば、簡易交換用としての使用態様においてアウターへの尿の漏れ出しが防止でき、補助吸収用としての使用態様においてアウターに尿がスムーズに移行できるようになる。
【図面の簡単な説明】
【００２３】
【図１】インナーパッド１の使用状態（アウター３０への装着状態）を示す展開図である。
【図２】図１のII−II線矢視図である。
【図３】本発明に係るインナーパッド１の一部破断展開図（簡易吸収用としての使用態様）である。
【図４】図３のIV−IV線矢視図である。
【図５】補助吸収用としての使用態様を示す一部破断展開図である。
【図６】図５のVI−VI線矢視図である。
【図７】他の形態例に係るインナーパッド１の平面図である。
【図８】図７のVIII−VIII線矢視図である。
【図９】他の形態例に係るインナーパッド１の裏面図である。
【図１０】(A)は簡易吸収用としての使用態様、(B)は補助吸収用としての使用態様における他の形態例に係るインナーパッド１の断面図である。
【図１１】(A)は簡易吸収用としての使用態様、(B)は補助吸収用としての使用態様における他の形態例に係るインナーパッド１の断面図である。
【図１２】(A)、(B)は、他の形態例に係るインナーパッド１の平面図である。
【発明を実施するための形態】
【００２４】
以下、本発明の実施の形態について図面を参照しながら詳述する。なお、本発明における「長手方向」とは、インナーパッド１の前側と後側を結ぶ方向を意味し、「幅方向」とは長手方向と直交する方向（インナーパッド１の展開時の左右方向）を意味する。
【００２５】
本発明に係るインナーパッド１は、図１及び図２に示されるように、使い捨ておむつ、失禁パンツ、おむつカバーなどのアウター３０の内面に装着して使用されるものであり、具体的には尿取りパッドや失禁パッドなどとして知られるものである。
【００２６】
前記アウター３０（使い捨ておむつ）は、図１及び図２に示されるように、不織布などからなる透液性トップシート３１と、バックシート３２との間に、綿状パルプ等からなる吸収体３３を介在させた構造から成る。より具体的には、有孔または無孔の不織布や孔開きプラスチックシート等からなり使用面側を覆う透液性トップシート３１と、不織布からなりおむつの外面側を覆うとともに、おむつ両側部では後述のギャザーシート３５とともにサイドフラップ部を構成するバックシート３２と、前記透液性トップシート３１とバックシート３２との間に介在された、綿状パルプ等からなる、たとえば砂時計形状（または長方形状等）のある程度の剛性を有する吸収体３３と、前記吸収体３３とバックシート３２との間に少なくとも吸収体３３の全面積を覆うように配設されたポリエチレン等からなる防水フィルム３４と、アウター３０の両側部に肌側に起立する立体ギャザー３６、３６を形成するとともに、おむつ両側部では前記バックシート３２とともにサイドフラップ部を構成するためのギャザーシート３５とから主に構成されている。なお、前記吸収体３３は、形状保持と透液性トップシート３１を透過した体液の拡散性向上のためにクレープ紙や不織布等からなる被包シートによって囲繞されているのが好ましい。
【００２７】
前記インナーパッド１は、図３及び図４に示されるように、綿状パルプ等からなり、たとえば長方形状のある程度の剛性を有するとともに、必要に応じてクレープ紙や不織布等からなる被包シートによって囲繞された吸収体２と、前記吸収体２の肌側（表面側）を覆うように配設された有孔または無孔の不織布や孔開きプラスチックシート等からなる透液性のトップシート３と、前記吸収体２の非肌側（裏面側）を覆うように配設された有孔または無孔の不織布や孔開きプラスチックシート等からなる透液性の第１バックシート４と、前記第１バックシート４の非肌側を覆うように配設されたポリエチレン等からなる不透液性の第２バックシート５とから主に構成されている。また、前記吸収体２の周囲において、その吸収体２の外縁よりも外側に延出しているトップシート３と第１バックシート４とがホットメルトなどの接着剤やヒートシール、超音波シール等の接合手段によって接合され、外周に吸収体２の存在しない外周フラップ部が形成されている。
【００２８】
前記インナーパッド１は、アウター３０の前側領域から後側領域に亘る製品長とされるとともに、アウター３０の立体ギャザー３６、３６間に配置可能であって、アウター３０の吸収体３３より小さな寸法幅で形成されている。
【００２９】
前記吸収体２は、図示例では平面形状を略長方形状として成形されたものが使用されているが、後述のように楕円形や六角形状などとしてもよい。この吸収体２は、形状保持とトップシート３を透過した体液の拡散性向上のために前記被包シートによって被包されているのが好ましい。
【００３０】
前記吸収体２の肌側（上層側）を覆う透液性のトップシート３としては、液を透過する性質を有し、例えば、有孔または無孔の不織布や多孔性プラスチックシートなどが好適に用いられる。不織布を構成する素材繊維は、特に限定されない。例えば、ポリエチレンまたはポリプロピレン等のオレフィン系、ポリエステル系、ポリアミド系等の合成繊維の他、レーヨンやキュプラ等の再生繊維、綿等の天然繊維などや、これらから二種以上が使用された混合繊維、複合繊維などを例示することができ、スパンレース法、スパンボンド法、サーマルボンド法、メルトブローン法、ニードルパンチ法、エアスルー法、ポイントボンド法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性＝ソフト性が高い点で優れている。また、トップシート３は、１枚のシートから成るものであっても、２枚以上のシートを貼り合わせて得た積層シートから成るもでのあってもよい。透液性トップシート３に多数の透孔を形成した場合には、尿などが速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００３１】
前記吸収体２の非肌側（下層側）を覆う透液性の第１バックシート４は、上記透液性のトップシート３と同様に、有孔または無孔の不織布や多孔性プラスチックシートなどが好適に用いられる。
【００３２】
前記第１バックシート４の非肌側（下層側）を覆う第２バックシート５は、特に限定されるものではないが、例えば、ポリエチレンまたはポリプロピレンなどのオレフィン系樹脂等からなるプラスチックフィルムや不織布の表面にプラスチックフィルムを設けたラミネート不織布、プラスチックフィルムに不織布等を重ねて接合した積層シートなどを例示することができるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。この他にも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも用いることができる。前記第２バックシート５は、前記トップシート３及び第１バックシート４と同様に吸収体２の外縁よりも外側に延出して設けられ、前記トップシート３及び第１バックシート４の外縁とほぼ同じ位置まで延在している。
【００３３】
本インナーパッド１においては、前記トップシート３及び第１バックシート４の前記吸収体２より幅方向外側に延在する部分に、パッド長手方向に沿って引裂可能な引裂線６が形成されている。前記引裂線６は、ミシン目、スリット、切り込み線、圧縮線などの公知の技術で形成される線状弱化領域であり、特に、タイ：カット＝１〜５ｍｍ：２〜５ｍｍのミシン目であることが好ましい。前記引裂線６は、トップシート３及び第１バックシート４にのみ形成され、第２バックシート５には一切形成されていない。前記引裂線６は、トップシート３及び第１バックシート４が吸収体２の外縁よりも外側に延出したトップシート３と第１バックシート４との直接の接着部分に形成され、トップシート３と第１バックシート４との間に吸収体２が介在する部分には設けられていない。前記引裂線６は、吸収体２より幅方向外側に延在するトップシート３及び第１バックシート４を一体的に弱化処理を施すことにより形成したものであり、トップシート３及び第１バックシート４の表裏方向に一致する位置に形成されている。前記引裂線６は、トップシート３及び第１バックシート４の全長に亘って設けられている。すなわち、トップシート３及び第１バックシート４の前側端縁と後側端縁とを結ぶ長手方向に亘って設けられている。前記引裂線６の線上及びその近傍において、トップシート３と第１バックシート４との接合手段を設けてもよいが、設けない方が引裂線６での引き裂きが容易となるため好ましい。
【００３４】
前記引裂線６より幅方向外側に、前記第１バックシート４と第２バックシート５とを接合するためのホットメルトなどの接着剤やヒートシール、超音波シールなどからなる接合部７が設けられている。前記接合部７は、第１バックシート４と第２バックシート５とが容易に剥離しないように強固に固着する構造用接合部である。前記接合部７は、前記引裂線６より幅方向外側の領域にのみ設けられ、引裂線６より幅方向内側の領域には、これら第１バックシート４と第２バックシート５とを固着した部分が設けられていない。前記接合部７は、第１バックシート４及び第２バックシート５の全長に亘って連続的又は間欠的に設けられている。
【００３５】
以上の構成からなる本インナーパッド１では、図３及び図４に示されるように、非肌側が不透液性の第２バックシート５で覆われた状態で、アウター３０の内面に装着して使用する簡易交換用としての使用態様と、図５及び図６に示されるように、前記引裂線６でトップシート３及び第１バックシート４を引き裂いて、トップシート３及び第１バックシート４の吸収体２より幅方向外側部分を取り除くのに伴って、この幅方向外側部分に前記接合部７にて接合された第２バックシート５を取り除くことにより、非肌側が透液性の第１バックシート４で覆われた状態で、アウター３０の内面に装着して使用する補助吸収用としての使用態様とが選択可能となっている。
【００３６】
前記簡易交換用としての使用態様においては、トップシート３及び第１バックシート４の吸収体２より幅方向外側に延在する部分に前記引裂線６が形成され、不透液性の第２バックシート５には引裂線が一切設けられていないため、前記第２バックシート５により尿の漏れ出しが完全に防止できるようになる。従って、アウター３０を汚さずに済むため、インナーパッド１を交換するだけでアウター３０を繰り返し使用できるようになる。
【００３７】
また、前記補助吸収用としての使用態様においては、前記引裂線６で引き裂いて前記トップシート３及び第１バックシート４の吸収体２より幅方向外側部分を取り除くことにより、不透液性の第２バックシート５が完全に取り除かれ、非肌側の全面が透液性の第１バックシート４のみによって覆われるため、アウター３０への尿の移行がスムーズに行われ、インナーパッド１とアウター３０が備える各吸収体の吸収性能を有効に活用できるようになる。
【００３８】
さらに、本インナーパッド１では、第２バックシート５に開口などが形成されていないため、この開口を塞ぐシート材を別途設ける必要が無く、資材コスト及び製造コストの上昇を抑えることができる。
【００３９】
前記インナーパッド１の変形例として、図７及び図８に示されるように、前記第１バックシート４の非肌側面であって、前記引裂線６より幅方向内側の長手方向両端部に幅方向に沿って、前記第２バックシート５に対して剥離可能な粘着剤層８を設けるようにしてもよい。前記粘着剤層８を設けることによって、非肌側が第２バックシート５で覆われた前記簡易交換用としての使用態様において、第２バックシート５が第１バックシート４に剥離可能に接着されるため、第１バックシート４と第２バックシート５との間に隙間が形成されなくなり、長手方向両端部からの尿の漏れが確実に防止できるようになる。また、第２バックシート５を取り除き非肌側が第１バックシート４で覆われた補助吸収用としての使用態様において、前記粘着剤層８がアウター３０の表面に対するズレ止めとして作用するようになる。前記剥離可能な粘着剤層８を設ける範囲としては、インナーパッド１の幅方向については前記引裂線６よりも内側の範囲とし、インナーパッド１の長手方向についてはインナーパッド１の長手方向端部から吸収体２までの吸収体２が介在しない外周フラップ部とするのが望ましい。また、塗布する粘着剤の目付としては１５〜３０ｇ／ｍ２とするのが望ましい。
【００４０】
また、他の変形例として、図９に示されるように、前記引裂線６と重なる第２バックシート５の長手方向両端部にそれぞれ、引裂線６の端部が非肌側に露出するように切欠部９を設けてもよい。第２バックシート５に前記切欠部９を設けることにより、前記切欠部９から臨むトップシート３及び第１バックシート４の引裂線６端部の両側をそれぞれ両方の手の指で摘んで前後方向に引き裂くことにより、引裂線６でトップシート３及び第１バックシート４を引き裂く際の最初の引き裂きが容易となる。前記切欠部９の平面形状としては、長手方向の製品端から吸収体２までの距離以下の半径を有するとともに、長手方向の製品端側に中心を有する半円又は中心が長手方向の製品端から前後に若干ずれた略半円とするのが望ましい。
【００４１】
ところで、図１０及び図１１に示されるように、前記インナーパッド１の肌当接面側の両側部にそれぞれ、トップシート３の側部を覆う不織布などからなるギャザーシート１０が配設され、このギャザーシート１０の内方側シート部分により、内方側に向かって開口する一対のポケットを形成する立体ギャザー１１、１１が形成されるようにしてもよい。前記立体ギャザー１１は、ギャザーシート１０の内方側が二重に折り返され、この折返し部分に１又は複数本の弾性伸縮部材１２がパッド長手方向に沿って配設され、内方側シート部分が前記弾性伸縮部材の収縮力を利用して表面側に起立するようになっている。
【００４２】
前記ギャザーシート１０は、図１０及び図１１に示されるように、トップシート３に対する接合位置によって、前記補助吸収用としての使用態様において立体ギャザー１１を存在させるか否かを決定している。具体的には、図１０(A)に示されるように、前記ギャザーシート１０を引裂線６より幅方向外側のトップシート３に接合し、引裂線６より幅方向内側のトップシート３には接合しない場合、同図１０(B)に示されるように、前記引裂線６でトップシート３及び第１バックシート４を引き裂いて引裂線６より幅方向外側部分を取り除いて使用する補助吸収用としての使用態様において、この取り除かれた幅方向外側部分にギャザーシート１０が接合されているため、ギャザーシート１０も一緒に取り除かれ立体ギャザー１１が形成されないインナーパッド１が得られるようになる。一方、図１１(A)に示されるように、前記ギャザーシート１０を引裂線６より幅方向内側のトップシート３に接合し、引裂線６より幅方向外側に前記ギャザーシート１０を延在させないようにした場合、同図１１(B)に示されるように、前記補助吸収用としての使用態様において、トップシート３及び第１バックシート４の幅方向外側部分を取り除いた後もギャザーシート１０が本体部分に存置され、立体ギャザー１１が形成されたインナーパッド１が得られるようになる。
【００４３】
また、肌当接面側の両側部にギャザーシート１０によって立体ギャザー１１を形成する場合、図１２に示されるように、前記吸収体２の平面形状は、長方形状より、立体ギャザー１１の起立区間で立体ギャザー１１の下側に入り込むように形成した長手方向中央部で幅方向外側に膨出する形状、例えば、同図１２(A)の楕円形状や(B)の六角形状などとするのが好ましい。これにより、吸収体２を、両側のギャザーシート１０、１０より幅方向内側の領域に長方形状で設けたときより、吸収体２の面積を大きくとることができ、吸収体２の吸収容量が増加できるようになる。
【符号の説明】
【００４４】
１…インナーパッド、２…吸収体、３…トップシート、４…第１バックシート、５…第２バックシート、６…引裂線、７…接合部、８…粘着剤層、９…切欠部、１０…ギャザーシート、１１…立体ギャザー、１２…弾性伸縮部材、３０…アウター
【図１】
0006502806.tif 000002
【図２】
0006502806.tif 000003
【図３】
0006502806.tif 000004
【図４】
0006502806.tif 000005
【図５】
0006502806.tif 000006
【図６】
0006502806.tif 000007
【図７】
0006502806.tif 000008
【図８】
0006502806.tif 000009
【図９】
0006502806.tif 000010
【図１０】
0006502806.tif 000011
【図１１】
0006502806.tif 000012
【図１２】
0006502806.tif 000013